(57)【要約】【課題】釣り糸の横滑りを抑制するとともに釣り糸を強固に締結しやすい釣り針を提供する。【解決手段】釣り糸を結び付けるための管１１を備えた釣り針１００であって、管１１は、正面側１１ａと背面側１１ｂの少なくとも一方に、その頂縁部１１ｃから糸通し孔１２まで延在する直線状の溝部１３を有する。管１１の正面側１１ａ又は背面側１１ｂに釣り糸に沿って延びる溝部１３を形成し、締結時に釣り糸がこの溝部１３に嵌まり込むようにすることで、釣り糸の横滑りと強固な締結を実現できる。【選択図】図１
0003226016.tif 000002
【実用新案登録請求の範囲】
【請求項１】
釣り糸を結び付けるための管（１１）を備えた釣り針であって、
前記管（１１）は、正面側（１１ａ）と背面側（１１ｂ）の少なくとも一方に、その頂縁部（１１ｃ）から糸通し孔（１２）まで延在する直線状の溝部（１３）を有する
釣り針。
【請求項２】
前記管（１１）は、正面側（１１ａ）と背面側（１１ｂ）の他方に、複数の凹部（１４）をさらに有する
請求項１に記載の釣り針。
【請求項３】
前記複数の凹部（１４）の深さは、前記溝部（１３）の深さよりも浅く形成されている
請求項２に記載の釣り針。
【請求項４】
前記溝部（１３）の深さは、前記管（１１）の厚みに対して２０〜５０％であり、
前記複数の凹部（１４）の深さは、前記管（１１）の厚みに対して５〜２０％である
請求項３に記載の釣り針。
【請求項５】
前記複数の凹部（１４）は、前記釣り針の上下方向に延びる直線状であり、前記管（１１）の縁及び前記糸通し孔（１２）には達しておらず、かつ、各凹部（１４）の幅は前記溝部（１３）の幅よりも小さい
請求項２から請求項４のいずれかに記載の釣り針。
【請求項６】
前記溝部（１３）及び前記複数の凹部（１４）はすべて平行に延在している
請求項２から請求項５のいずれかに記載の釣り針。
【請求項７】
前記溝部（１３）の断面形状は、半円形状に形成されている
請求項１から請求項６のいずれかに記載の釣り針。
【考案の詳細な説明】
【技術分野】
【０００１】
本考案は、管付きの釣り針に関する。
【背景技術】
【０００２】
従来から、釣り針を結び付けるための管（カン、サルカンともいう）を備えた釣り針が知られている（特許文献１，特許文献２）。釣り針の頂部に管が設けられていることで、釣り糸を結びやすくなるため、管付きの釣り針を利用する者も多い。
【先行技術文献】
【特許文献】
【０００３】
【特許文献１】実全昭６３−１３２５６７号公報
【特許文献２】実全昭６３−０９５４７１号公報
【考案の概要】
【考案が解決しようとする課題】
【０００４】
しかしながら、管付きの釣り針では、釣り針と釣り糸との接点がほぼ点状となることから、釣り糸が横滑りして釣り糸と釣り針の向きにずれが生じる場合がある。また、管付きの釣り針は釣り糸との接点が小さいため、釣り糸の結び目において釣り針を強固に保持することが難しいという問題もある。
【０００５】
そこで、本考案は、釣り糸の横滑りを抑制するとともに釣り糸を強固に締結しやすい釣り針を提供することを主たる目的とする。
【課題を解決するための手段】
【０００６】
本考案の考案者は、上記の従来技術の問題を解決する手段について鋭意検討した結果、釣り針の管の正面側又は背面側に釣り糸に沿って延びる溝部を形成し、締結時に釣り糸が溝部に嵌まり込むようにすることで、釣り糸の横滑りを抑制しつつ強固な締結を実現できるという知見を得た。そして、本考案者は、上記知見に基づけば従来技術の問題を解決できることに想到し、本考案を完成させた。具体的に説明すると、本考案は以下の構成を有する。
【０００７】
本考案は、釣り針に関する。本考案に係る釣り針１００は、釣り糸を結び付けるための管１１を備える。管１１は、正面側１１ａと背面側１１ｂの少なくとも一方に、その頂縁部１１ｃから糸通し孔１２まで延在する直線状の溝部１３を有する。なお、管１１は、正面側１１ａと背面側１１ｂの両方に溝部１３を有していてもよい。また、管１１の頂縁部１１ｃとは、釣り針１００に釣り糸を締結して吊り下げた状態において、釣り針１００の上方の頂点に位置する縁部分を意味する。このため、管１１の頂縁部１１ｃから糸通し孔１２まで延在する溝部１３は、釣り糸とほぼ平行に延在することとなる。このように、管１１に溝部１３を形成しておくことで、管１１に締結された釣り糸がこの溝部１３に嵌まり込むこととなるため、釣り糸の横滑りを抑制することができる。また、溝部１３を設けておくことで釣り糸の結び目による保持力のパワーロスを軽減することができるため、釣り糸と釣り針１００とを強固に締結しやすくなる。
【０００８】
本考案に係る釣り針１００において、管１１は、正面側１１ａと背面側１１ｂの他方（溝部１３が設けられていない方）に、複数の凹部１４をさらに有することが好ましい。このように、溝部１３とは反対側の面にさらに複数の凹部１４を設けておくことで、釣り針の横滑りをさらに効果的に抑制できる。
【０００９】
本考案に係る釣り針１００において、複数の凹部１４の深さは、溝部１３の深さよりも浅く形成されていることが好ましい。複数の凹部１４の深さを大きくし過ぎると、釣り針１００の管１１の物理的な強度が著しく低下することになるため、複数の凹部１４の深さは比較的小さくしておくと良い。具体的には、管１１の厚み（溝部１３及び凹部１４が形成されていない部位における管１１の最大厚み）を１００％としたときに、溝部１３の深さは２０〜５０％であり、複数の凹部１４の深さは５〜２０％であることが好ましい。溝部１３及び凹部１４の深さを上記範囲とすることで、管１１の強度を適切な値に維持できる。
【００１０】
本考案に係る釣り針１００において、複数の凹部１４は、釣り針の上下方向に延びる直線状であり、管１１の縁及び糸通し孔１２には達しておらず、かつ、各凹部１４の幅は溝部１３の幅よりも小さいことが好ましい。これにより、管１１の強度を維持しつつ、釣り糸の横滑りを効果的に抑制できる。特に、管１１の縁及び糸通し孔１２に達しないように複数の凹部１４を形成することで、釣り糸が複数の凹部１４に引っ掛かって糸切れを起こすことを抑制できる。
【００１１】
本考案に係る釣り針１００において、溝部１３及び複数の凹部１４はすべて平行に延在していることが好ましい。これにより、釣り糸の横滑り効果をさらに効果的に発揮することができる。
【００１２】
本考案に係る釣り針１００において、溝部１３の断面形状は半円形状に形成されていることが好ましい。これにより、釣り糸が溝部１３に密着しやすくなるため、釣り糸と釣り針１００とをより強固に締結できるようになる。
【考案の効果】
【００１３】
本考案の釣り針によれば、釣り糸の横滑りを抑制するとともに、釣り糸を強固に締結しやすくなる。
【図面の簡単な説明】
【００１４】
【図１】図１（ａ）は釣り針の側面図であり、図１（ｂ）は釣り針の正面図である。
【図２】図２（ａ）は管の正面側の拡大図であり、図２（ｂ）は管の背面側の拡大図であり、図２（ｃ）は管の断面図である。
【考案を実施するための形態】
【００１５】
以下、図面を用いて本考案を実施するための形態について説明する。本考案は、以下に説明する形態に限定されるものではなく、以下の形態から当業者が自明な範囲で適宜変更したものも含む。
【００１６】
なお、本願明細書において、上方や下方（あるいは上下方向）というときは、釣り針を結び付けた状態における釣り針の上方や下方を意味する。また、正面側や背面側というときは、針先が存在する側を正面側とし、その反対側を背面側とする。
【００１７】
図１は、本考案の一実施形態に係る釣り針１００の側面図（ａ）及び正面図（ｂ）を示している。本考案は、釣り糸を締結するための管１１を備えた釣り針１００に関するものであり、その管１１の構造に特徴を持つ。このため、管１１以外の構造については、基本的に公知の釣り針の構造を採用することができる。
【００１８】
例えば、図１に示されるように、釣り針１００は、一本の針金を成型してなるものであって、基本的に、釣り針を結び付けるためのチモト１０と、このチモト１０から下方に延びる胴２０と、この胴２０から正面側に湾曲する胴曲げ３０と、この胴曲げ３０から上方に湾曲する先曲げ４０と、この先曲げ４０の上端に設けられた針先５０と、この針先５０のやや下方であって針先５０と胴曲げ３０の間のフトコロ６０側に設けられたカエシ７０とを有している。また、図１に例示するように、チモト１０と胴２０の間に略Ｓ字状に湾曲したクランク８０を設けておいてもよい。
【００１９】
本考案に係る針金１００は、上記した一般的な構造のうち、チモト１０に相当する部位に管１１を設けている。図示した例において、管１１は、釣り針１００を構成する針金を略円形状に湾曲させることによって糸通し孔１２が形成されている。ただし、管１１は、釣り針１００のチモト１０を略扁平状に成型し、その平面部分に円形状の貫通孔を穿設することによって糸通し孔１２が形成されたものであってもよい。
【００２０】
図２は、管１１の正面側の拡大図（ａ）と、背面側の拡大図（ｂ）と、断面図（ｃ）をそれぞれ示している。図２（ａ）〜（ｃ）に示されるように、本実施形態において、管１１は、針先５０が存在する正面側１１ａに溝部１３を有し、反対側の背面側１１ｂに複数の凹部１４を有する。
【００２１】
溝部１３は、管１１の正面側１１ａに１本のみ設けられている。この溝部１３は、管１１の頂縁部１３ｃから糸通し孔１２まで直線状に延在している。つまり、溝部１３は、上下方向と平行に延在しており、管１１の頂点の縁から糸通し孔１２の縁に至るように形成されたものである。このため、溝部１３と頂縁部１３ｃの間や、溝部１３と糸通し孔１２の間には、隙間（凸部）が生じていないこととなる。また、溝部１３は、釣り糸に合せてその断面形状が半円形状に形成されており、釣り糸が溝部１３内に密着しやすくなっている。
【００２２】
溝部１３は、釣り糸全体が嵌まり込む程度の幅及び深さを有していることが好ましい。ただし、溝部１３は、少なくとも釣り糸の一部が嵌まり込む幅及び深さを有していればよい。溝部１３の幅及び深さは、釣り針１００に結び付ける釣り糸の種類や用途に応じて適宜調整可能である。ただし、溝部１３の深さは、管１１の厚みを１００％としたときに２０〜５０％とすることが好ましい。溝部１３の深さが２０％未満であると、深さが浅すぎて釣り糸を保持しにくくなる。他方で、溝部１３の深さが５０％を超えると、溝部１３が形成された部位において管１１の強度が低下し、その部位に破損が生じる恐れがある。このため、溝部１３の深さは、管１１の厚みに対して２０〜５０％とすることが適切である。
【００２３】
凹部１４は、管１１の背面側１１ｂに複数本設けられている。本実施形態において、各凹部１４は、釣り針の上下方向に延びる直線状である。また、各凹部１４は、管１１の縁及び糸通し孔１２には達しておらず、それぞれが閉じた領域を形成している。すなわち、各凹部１４と管１１の縁の間や、各凹部１４と糸通し孔１２の間には、隙間（凸部）が生じている。また、各凹部１４の幅は、溝部１３の幅よりも細い。ただし、凹部１４の幅は、釣り糸の全体又は少なくとも一部が嵌まり込む程度の幅となっている。さらに、本実施形態では、複数の凹部１４と溝部１３とはすべて平行になっており、それぞれが釣り針１００の上下方向に延在している。
【００２４】
各凹部１４は、少なくとも釣り糸の一部が嵌まり込む（引っ掛かる）程度の幅及び深さを有していればよい。各凹部１４の深さは、釣り針１００に結び付ける釣り糸の種類や用途に応じて適宜調整可能である。ただし、各凹部１４の深さは、管１１の厚みを１００％としたときに５〜２０％であって、上記した溝部１３よりも小さい値とすることが好ましい。各凹部１４の深さが５％未満であると、深さが浅すぎて釣り糸が引っ掛かりにくくなる。他方で、各凹部１４の深さが２０％を超えると、各凹部１４が形成された部位において管１１の強度が著しく低下し、その部位に破損が生じる恐れがある。このため、各凹部１４の深さは、管１１の厚みに対して５〜２０％とすることが適切である。
【００２５】
上記のように、管１１に溝部１３と複数の凹部１４を形成しておくことで、管１１に締結された釣り糸がこの溝部１３や凹部１４に嵌まり込こととなるため、釣り糸の横滑りを抑制することができる。また、溝部１３を設けておくことで釣り糸の結び目による保持力のパワーロスを軽減することができるため、釣り糸と釣り針１００とを強固に締結しやすくなる。
【００２６】
また、図２（ｃ）に示されるように、管１１の厚み方向にみたときに、溝部１３と重なる位置に、１又は２以上の凹部１４が形成されており、かつ、溝部１３と重ならない位置にも１又は２以上の凹部１４が形成されていることが好ましい。具体的には、図示した例では、管１１の背面側１１ｂには、第１の凹部１４ａ、第２の凹部１４ｂ、第３の凹部１４ｃ、及び第４の凹部１４ｄの合計４本が形成されている。これら４本の凹部１４ａ〜１４ｄのうち、中央寄りに位置する第２の凹部１４ｂと第３の凹部１４ｃは、管１１の正面側１１ａに形成された溝部１３と重なる位置に形成されているのに対して、側方寄りに位置する第１の凹部１４ａと第４の凹部１４ｄは溝部１３とは重ならない位置に形成されている。このように、複数の凹部１４を比較的左右に広げた間隔で配置することで、管１１に締結された釣り糸の横滑りをより効果的に抑制することが可能となる。
【００２７】
以上、本願明細書では、本考案の内容を表現するために、図面を参照しながら本考案の実施形態の説明を行った。ただし、本考案は、上記実施形態に限定されるものではなく、本願明細書に記載された事項に基づいて当業者が自明な変更形態や改良形態を包含するものである。
【符号の説明】
【００２８】
１０…チモト                  １１…管
１１ａ…正面側                １１ｂ…背面側
１１ｃ…頂縁部                １２…糸通し孔
１３…溝部                    １４…凹部
２０…胴                      ３０…胴曲げ
４０…先曲げ                  ５０…針先
６０…フトコロ                ７０…カエシ
８０…クランク                １００…釣り針
【図１】
0003226016.tif 000003
【図２】
0003226016.tif 000004